(57)【要約】【課題】簡単かつ迅速に組み立てることができる段ボール製の梱包用緩衝材を提供する。【解決手段】物品挿入口５を有する頂壁１に一対の側壁２及び底壁３をスリーブ状に連設し、頂壁１のヒンジ線７に連続して側壁２に切目８を入れ、底壁３と両側壁２との稜線に沿った切目９の間に複数本の折目１０を有する折込部１１を設け、頂壁１のヒンジ線７、側壁２の切目８及び底壁３の折込部１１を境界として物品保持部１２及び脚部１３を形成し、物品保持部１２から脚部１３を下方へ折り曲げて、折込部１１を折り込み、折込部１１で物品の移動を抑制すると共に、脚部１３で物品保持部１２が浮き上がった状態に支持されるようにする。【選択図】図５
2005335746.tif 000002
【特許請求の範囲】
【請求項１】
物品挿入口を有する頂壁に一対の側壁及び底壁をスリーブ状に連設し、頂壁のヒンジ線に連続して側壁に切目を入れ、底壁と両側壁との稜線に沿った切目間に複数本の折目を有する折込部を設け、頂壁のヒンジ線、側壁の切目及び底壁の折込部を境界として物品保持部及び脚部を形成し、物品保持部から脚部を下方へ折り曲げて、折込部を折り込み、折込部で物品の移動を抑制すると共に、脚部で物品保持部を浮き上がった状態に支持するようにした梱包用緩衝材。
【発明の詳細な説明】
【技術分野】
【０００１】
この発明は、精密機器等の梱包に使用される段ボール製緩衝材に関するものである。
【背景技術】
【０００２】
例えば、カメラ等の精密機器の梱包に際しては、発泡スチロールを成型した緩衝材を使用することが一般的であったが、近年、廃棄時の環境への影響を考慮して、段ボール製の緩衝材への転換が進んでいる。この段ボール製緩衝材としては、トレー状の物品保持部から脚部を下方へ突出させたものなどが使用されている。
【発明の開示】
【発明が解決しようとする課題】
【０００３】
しかしながら、上記のような段ボール製緩衝材では、組み立てに手間がかかり、物品梱包作業の効率が悪化するという問題があった。
【０００４】
そこで、この発明は、簡単かつ迅速に組み立てることができる段ボール製の梱包用緩衝材を提供することを課題とする。
【課題を解決するための手段】
【０００５】
上記課題を解決するため、この発明は、物品挿入口を有する頂壁に一対の側壁及び底壁をスリーブ状に連設し、頂壁のヒンジ線に連続して側壁に切目を入れ、底壁と両側壁との稜線に沿った切目間に複数本の折目を有する折込部を設け、頂壁のヒンジ線、側壁の切目及び底壁の折込部を境界として物品保持部及び脚部を形成し、物品保持部から脚部を下方へ折り曲げて、折込部を折り込み、折込部で物品の移動を抑制すると共に、脚部で物品保持部を浮き上がった状態に支持するようにしたのである。
【発明の効果】
【０００６】
このような緩衝材は、両側壁を一方へ倒して扁平に折り畳んでおくことができるので、輸送や保管に際して嵩張ることがなく、物品の梱包に際しては、両側壁を起立させて角筒状にし、物品保持部から脚部を下方へ折り曲げるだけで組み立てて、物品挿入口に挿入した物品の移動を防止しつつ、緩衝空間を確保することができる。
【発明を実施するための最良の形態】
【０００７】
まず、この発明の第１実施形態を図１乃至図５に基づいて説明する。この緩衝材は、図１に示すように、薄型のデジタルカメラＣを平置きした状態で外箱Ｂに収納する梱包に使用するものである。
【０００８】
この緩衝材の段ボールブランクでは、図２に示すように、頂壁１の一方の長辺に側壁２及び底壁３が、他方の長辺に側壁２及び継代４がそれぞれ順次連設され、頂壁１の中間部には、切り開きに伴い物品挿入口５をなす内折板６が両側壁２との稜部から延びるように形成されている。
【０００９】
頂壁１の両端寄りには、物品挿入口５の端縁から間隔をおいてヒンジ線７が入れられ、側壁２にはヒンジ線７に連続する切目８が入れられている。底壁３及び継代４の両端寄りには、各側壁２との稜線に沿った切目９を入れて、３本の折目１０を有する折込部１１が形成されている。折込部１１はヒンジ線７の内側に位置している。
【００１０】
そして、このブランクにおいては、頂壁１のヒンジ線７、側壁２の切目８並びに底壁３及び継代４の折込部１１を境界として、その内側の部分が物品保持部１２とされ、外側の部分が脚部１３とされている。
【００１１】
また、物品挿入口５をなす一方の内折板６には中間の折目から、他方の内折板６には先端縁から係合突起１４がそれぞれ設けられ、底壁３及び継代４には、側壁２との稜線に沿って、係合突起１４に対応する係合穴１５が設けられている。脚部１３の側壁２の部分には、緩衝性を高める折目１６が長さ方向に入れられている。
【００１２】
上記ブランクを製造する際には、図３に示すように、一方の側壁２と底壁３の稜線及び他方の側壁２と頂壁１の稜線に沿ってブランクを折り重ね、継代４を底壁３の内面に貼り付けて、扁平なスリーブを形成する。このように両側壁２が一方へ倒れた折畳状態では、輸送や保管に際して嵩張ることがない。
【００１３】
そして、この緩衝材を使用する際には、図４に示すように、両側壁２を起立させてスリーブを角筒状にし、内折板６を内側へ折り曲げて物品挿入口５を開口させ、係合突起１４を係合穴１５に差し込んで、反発による内折板６の戻りを防止する。
【００１４】
その後、図５に示すように、物品保持部１２から脚部１３を下方へ折り曲げて、折込部１１を折り込み、このように組み立てた緩衝材を、図１に示すように、外箱Ｂにセットして、物品挿入口５にデジタルカメラＣを挿入する。
【００１５】
このように梱包すると、デジタルカメラＣの両端方向への移動が折込部１１により抑制されると共に、脚部１３により物品保持部１２が浮き上がった状態に支持され、デジタルカメラＣの下方及び周囲に緩衝空間が確保されるので、デジタルカメラＣが輸送時の衝撃から保護される。
【００１６】
なお、この緩衝材は、デジタルカメラＣと共に外箱Ｂに収納される充電器等の付属品の大きさや形状に応じて、外箱Ｂの内部で前後方向に移動させ、任意の位置にセットすることができる。
【００１７】
次に、この発明の第２実施形態を図６乃至図１０に基づいて説明する。この緩衝材は、図６に示すように、上下寸法が小さく、奥行は比較的大きいデジタルカメラＣを縦置きした状態で外箱Ｂに収納する梱包に使用するものである。
【００１８】
この緩衝材の段ボールブランクでは、図７に示すように、頂壁１の一方の長辺に側壁２が連設され、他方の長辺に側壁２、底壁３及び継代４が順次連設されている。頂壁１の中間部には、切り開きに伴い物品挿入口５をなす内折板６が一方の側壁２との稜部から延出され、他方の側壁２へ切れ込むように形成されている。
【００１９】
頂壁１の両端寄りには、物品挿入口５の端縁から間隔をおいてヒンジ線７が入れられ、側壁２にはヒンジ線７に連続する切目８が入れられている。底壁３の両端寄りには、側壁２及び継代４との稜線に沿った切目９を入れて、３本の折目１０を有する折込部１１が形成されている。折込部１１はヒンジ線７の外側まで張り出している。
【００２０】
そして、このブランクにおいては、頂壁１のヒンジ線７、側壁２の切目８及び底壁３の折込部１１を境界として、その内側の部分が物品保持部１２とされ、外側の部分が脚部１３とされている。
【００２１】
また、物品挿入口５をなす内折板６の先端縁には係合突起１４が設けられ、底壁３の継代４との稜部付近には、係合突起１４に対応する係合穴１５が設けられている。脚部１３の側壁２の部分には、長さ方向の折目１６及び脚部１３を前後に突出させるための切目が入れられ、継代４にも、側壁２の切目に対応する切目が入れられている。
【００２２】
上記ブランクを製造する際には、図８に示すように、頂壁１と一方の側壁２の稜線及び他方の側壁２と底壁３の稜線に沿ってブランクを折り重ね、継代４を一方の側壁２の内面に貼り付けて、扁平なスリーブを形成する。このように両側壁２が一方へ倒れた折畳状態では、輸送や保管に際して嵩張ることがない。
【００２３】
そして、この緩衝材を使用する際には、図９に示すように、両側壁２を起立させてスリーブを角筒状にし、内折板６を内側へ折り曲げて物品挿入口５を開口させ、係合突起１４を係合穴１５に差し込んで、反発による内折板６の戻りを防止する。
【００２４】
その後、図１０に示すように、脚部１３を折目１６に沿って押し潰すように折り重ねつつ、物品保持部１２から脚部１３を下方へ折り曲げて、折込部１１を折り込み、このように組み立てた緩衝材を、図６に示すように、外箱Ｂにセットして、物品挿入口５にデジタルカメラＣを挿入する。
【００２５】
このように梱包すると、デジタルカメラＣの両端方向への移動が折込部１１により抑制されると共に、脚部１３により物品保持部１２が浮き上がった状態に支持され、脚部１３は側壁２から前後に突出し、デジタルカメラＣの下方及び周囲に緩衝空間が確保されるので、デジタルカメラＣが輸送時の衝撃から保護される。
【００２６】
なお、この緩衝材は、物品保持部１２の長さが外箱Ｂの左右方向の内寸よりも小さくなっており、脚部１３の下部が反発により外箱Ｂの端壁内面に当接し、また、脚部１３の前部及び後部が屈曲しつつ外箱Ｂの前壁及び後壁内面にそれぞれ当接して、外箱Ｂ内での物品保持部１２の揺動が許容されるので、衝撃を効果的に吸収することができる。
【図面の簡単な説明】
【００２７】
【図１】この発明の第１実施形態に係る緩衝材の使用状態を示す斜視図
【図２】同上の緩衝材のブランクを示す図
【図３】同上の折畳状態を示す斜視図
【図４】同上の角筒状に形成した状態を示す斜視図
【図５】同上の組立状態を示す斜視図
【図６】この発明の第２実施形態に係る緩衝材の使用状態を示す斜視図
【図７】同上の緩衝材のブランクを示す図
【図８】同上の折畳状態を示す斜視図
【図９】同上の角筒状に形成した状態を示す斜視図
【図１０】同上の組立状態を示す斜視図
【符号の説明】
【００２８】
１  頂壁
２  側壁
３  底壁
４  継代
５  物品挿入口
６  内折板
７  ヒンジ線
８，９  切目
１０  折目
１１  折込部
１２  物品保持部
１３  脚部
１４  係合突起
１５  係合穴
１６  折目
【図１】
2005335746.tif 000003
【図２】
2005335746.tif 000004
【図３】
2005335746.tif 000005
【図４】
2005335746.tif 000006
【図５】
2005335746.tif 000007
【図６】
2005335746.tif 000008
【図７】
2005335746.tif 000009
【図８】
2005335746.tif 000010
【図９】
2005335746.tif 000011
【図１０】
2005335746.tif 000012